(57)【要約】      （修正有）【課題】簡易な構造で使い勝手の良い伸縮式物干竿を提供する。【解決手段】外パイプ、外パイプの端部に付属するスリーブ２、内パイプ、内パイプの端部に付属するストッパを有する伸縮式物干竿であって、外パイプに対して内パイプが移動する際に、スリーブ筒部２１の内面と内パイプの外面とが摺動し、ストッパの外面と外パイプの内面とが摺動する。ストッパがスリーブ筒部の開放末端部２１１に接触すると物干竿が最長となる。【選択図】図２
0003230941.tif 000002
【実用新案登録請求の範囲】
【請求項１】
外パイプ（１）、スリーブ（２）、内パイプ（３）、ストッパ（４）を有する伸縮式物干竿であって、
上記外パイプ（１）の内部に上記内パイプ（３）が挿入されており、上記外パイプ（１）と上記内パイプ（３）は互いに可動であって、
上記外パイプ（１）と上記内パイプ（３）は、上記スリーブ（２）を介して連結し、
上記外パイプ（１）の端部に上記スリーブ（２）が付属し、
上記スリーブ（２）は、筒部（２１）、閉塞末端部（２２）、折返し部（２３）を有し、上記筒部（２１）、上記閉塞末端部（２２）、上記折返し部（２３）が上記外パイプ（１）の末端（１０１）を包囲し、上記スリーブのうち少なくとも上記筒部（２１）と上記折返し部（２３）が上記外パイプ（１）に密着し、
上記外パイプ（１）に対して上記内パイプ（３）が移動する際に、上記スリーブ（２）における上記筒部（２１）の内面と上記内パイプ（３）の外面とが摺動し、
上記内パイプ（３）の端部に上記ストッパ（４）が付属し、
上記外パイプ（１）に対して上記内パイプ（３）が移動する際に、上記ストッパ（４）の外面と上記外パイプ（１）の内面とが摺動し、
上記伸縮式物干竿が最も伸びた状態で、上記ストッパ（４）が、上記スリーブ（２）における上記筒部（２１）の開放末端部（２１１）に接触する、
伸縮式物干竿。
【請求項２】
上記外パイプ（１）の長手方向に沿う上記筒部（２１）の長さ（Ｌ１）が、上記外パイプ（１）の長手方向に沿う上記折返し部（２３）の長さ（Ｌ２）よりも長い、
請求項１に記載の伸縮式物干竿。
【請求項３】
上記筒部（２１）が、上記筒部（２１）長手方向の同軸上に接続する第１筒部（２１０１）と第２筒部（２１０２）とを有し、
上記第１筒部（２１０１）は上記閉塞末端部（２２）に接続し、
上記第２筒部（２１０２）は上記第１筒部（２１０１）よりも肉薄で、開放末端部（２１１）を備える、
請求項１に記載の伸縮式物干竿。
【請求項４】
上記スリーブ（２）が樹脂製である、請求項１に記載の伸縮式物干竿。
【請求項５】
さらに、外パイプ（１）および／または内パイプ（３）の懸架、外パイプ（１）に対する内パイプ（３）の位置決め、外パイプ（１）および／または内パイプ（３）における洗濯物の配置、外パイプ（１）および／または内パイプ（３）に対する洗濯物の位置決め、から選ばれる少なくとも１つのための付属部材を有する、請求項１に記載の伸縮式物干竿。
【請求項６】
第１筒部（２１０１）と第２筒部（２１０２）とを有する筒部（２１）、閉塞末端部（２２）、折返し部（２３）を備える、伸縮式物干竿のためのスリーブ（２）。
【考案の詳細な説明】
【技術分野】
【０００１】
本考案は伸縮式物干竿に関する。
【背景技術】
【０００２】
これまでに様々な伸縮式物干竿の構造が提案されている。例えば特許文献１には、外パイプの両端に、上記外パイプより小さい断面の内パイプを伸縮して調整可能に設けることが記載されている。また例えば特許文献２には、円筒状の竿本体部と、該竿本体部２の一端に設けられ、引出し又は収納自在に挿入され長さ調節可能となされた伸縮竿部とを備えた物干竿が記載されている。さらに特許文献３には、竿の長さを自在に調節できると共に、本体パイプと継パイプを分離可能にして、物干竿の全体をコンパクトな状態で収納・保管できる伸縮式物干竿が記載されている。
【先行技術文献】
【特許文献】
【０００３】
【特許文献１】特開２０１７−６３８０６号公報
【特許文献２】特開２０１５−２２９０５８号公報
【特許文献３】実用新案登録第３０８４４４４号公報  しかしながら、上述の伸縮式物干竿では、全体の部品点数が比較的多くなり、伸縮機構が外から見えない場合があって、製造コストが高くなる、組立労力が大きい、使用者が破損を発見し難いといった問題があった。
【考案の概要】
【考案が解決しようとする課題】
【０００４】
そこで本考案者は、全体の部品点数が少なく単純な構造を取り、使用者が物干竿の伸縮の様子を視認でき伸縮部の破損や故障に気付きやすい、伸縮式物干竿を求めた。
【課題を解決するための手段】
【０００５】
その結果、本考案者は以下のような簡素な構造で問題を解決することに成功した。
（考案１）外パイプ（１）、スリーブ（２）、内パイプ（３）、ストッパ（４）を有する伸縮物干し竿であって、
上記外パイプ（１）の内部に上記内パイプ（３）が挿入されており、上記外パイプ（１）と上記内パイプ（３）は互いに可動であって、
上記外パイプ（１）と上記内パイプ（３）は、上記スリーブ（２）を介して連結し、
上記外パイプ（１）の端部に上記スリーブ（２）が付属し、
上記スリーブ（２）は、筒部（２１）、閉塞末端部（２２）、折返し部（２３）を有し、上記筒部（２１）、上記閉塞末端部（２２）、上記折返し部（２３）が上記外パイプ（１）の末端（１０１）を包囲し、上記スリーブのうち少なくとも上記筒部（２１）と上記折返し部（２３）が上記外パイプ（１）に密着し、
上記外パイプ（１）に対して上記内パイプ（３）が移動する際に、上記スリーブ（２）における上記筒部（２１）の内面と上記内パイプ（３）の外面とが摺動し、
上記内パイプ（３）の端部に上記ストッパ（４）が付属し、
上記外パイプ（１）に対して上記内パイプ（３）が移動する際に、上記ストッパ（４）の外面と上記外パイプ（１）の内面とが摺動し、
上記伸縮物干竿が最も伸びた状態で、上記ストッパ（４）が、上記スリーブ（２）における上記筒部（２１）の開放末端部（２１１）に接触する、
伸縮物干し竿。
（考案２）上記外パイプ（１）の長手方向に沿う上記筒部（２１）の長さ（Ｌ１）が、上記外パイプ（１）の長手方向に沿う上記折返し部（２３）の長さ（Ｌ２）よりも長い、考案１の伸縮物干し竿。
（考案３）上記筒部（２１）が、上記筒部（２１）長手方向の同軸上に接続する第１筒部（２１０１）と第２筒部（２１０２）とを有し、
上記第１筒部（２１０１）は上記閉塞末端部（２２）に接続し、
上記第２筒部（２１０２）は上記第１筒部（２１０１）よりも肉薄で、開放末端部（２１１）を備える、
考案１の伸縮物干し竿。
（考案４）上記スリーブ（２）が樹脂製である、考案１の伸縮物干し竿。
（考案５）さらに、外パイプ（１）および／または内パイプ（３）の懸架、外パイプ（１）に対する内パイプ（３）の位置決め、外パイプ（１）および／または内パイプ（３）における洗濯物の配置と位置決め、から選ばれる少なくとも１つのための付属部材を有する、考案１の伸縮物干し竿。
（考案６）第１筒部（２１０１）と第２筒部（２１０２）とを有する筒部（２１）、閉塞末端部（２２）、折返し部（２３）を備える、伸縮式物干竿のためのスリーブ（２）。
【考案の効果】
【０００６】
本考案の伸縮式物干竿が伸び縮みする際に、内パイプはストッパの部分のみで外パイプと摺動し、また上記内パイプは外パイプの末端部に位置するスリーブと摺動する。すなわち、本考案の伸縮式物干竿が伸び縮みする際に内パイプのごく一部分が他の部材と接触し摺動する。このため、本考案の伸縮式物干竿が伸び縮みする際に外パイプおよび／または内パイプに生じる摩擦力は比較的低く、使用者が簡単に本考案の伸縮式物干竿を扱うことができる。
【０００７】
本考案の伸縮式物干竿のスリーブに肉厚の第１筒部と肉薄の第２筒部を設けた場合には、パイプの伸縮長さを容易に微調整することができ、パイプを滑らかに移動することができる。本考案において、内パイプ（３）を外パイプ（１）に対して１方向に回転させることによってロックでき、逆方向に回転させることによって上記ロックを解除できる構造とすることが可能である。本考案の伸縮式物干竿には紐通しやハンガー掛け部などのオプション構造を設けることもできる。
【０００８】
また、本考案の伸縮式物干竿は比較的少ない点数の部品で構成される。また本考案の伸縮式物干竿では伸縮運動でスリーブの内面が内パイプと摺動するものの、スリーブは外部から視認しやすいため、使用者がスリーブの破損や汚れに気付き易い。
【図面の簡単な説明】
【０００９】
【図１】本考案の伸縮式物干竿の１例の一部分を模式的に示す。矢印は内パイプ（３）の移動方向を示す。
【図２】本考案の伸縮式物干竿が有するスリーブ（２）の１例を模式的に示す。
【図３】本考案の伸縮式物干竿が有するスリーブ（２）の１例を模式的に示す。筒部の中心を通る面で長手方向に対象となるようにスリーブ（２）を切断した時の断面を、模式的に示す。点線は実際には見えない。筒の厚みを示す描線の一部を省略している。筒部（２１）の長さ（Ｌ１，長い矢印）と折返し部（２３）の長さ（Ｌ２，短い矢印）の関係を理解するための参考図を兼ねる。
【図４】本考案の伸縮式物干竿が有するスリーブ（２）の１例の一部を切り欠いた様子を模式的に示す。筒の厚みを示す描線の一部を省略している。
【図５】本考案の伸縮式物干竿が有するスリーブ（２）の末端閉塞部（２２）、折り返し部（２３）、第１筒部（２１０１）、第２筒部（２１０２）の厚みの差を理解するための参考図。
【図６】本考案の伸縮式物干竿の外パイプ（１）にスリーブ（２）が付属する様子を模式的に示す。スリーブ（２）が付属した外パイプ（１）を、スリーブ（２）の筒部（２１）の中心を通る面で長手方向に対象となるように切断した時の断面を、模式的に示す。点線は実際には見えない。
【図７】本考案の伸縮式物干竿が伸縮する様子を理解するための参考図である。伸縮式物干竿全体を、スリーブ（２）の筒部（２１）の中心を通る面で長手方向に対象となるように切断した時の断面を、模式的に示す。矢印は内パイプ（３）の移動方向を示す。点線は実際には見えない。
【図８】本考案の伸縮式物干竿が最も伸びた状態を理解するための参考図である。伸縮式物干竿全体を、スリーブ（２）の筒部（２１）の中心を通る面で長手方向に対象となるように切断した時の断面を、模式的に示す。点線は実際には見えない。
【図９】本考案の伸縮式物干竿の付属部材である紐通しの１例を模式的に示す。
【図１０】本考案の伸縮式物干竿の付属部材である紐通しの１例を模式的に示す。
【図１１】本考案の伸縮式物干竿の付属部材であるハンガー掛けの１例を模式的に示す。
【考案を実施するための形態】
【００１０】
本考案を、図面を参照させて説明する。ただし、図面は本考案の伸縮式物干竿の一例を部分的に模式的に示すにとどまり、厚みや長さ、輪郭は、図上では誇張あるいは省略されている。本考案の伸縮式物干竿の構造は図面に示すものに限定されない。
【００１１】
［伸縮式物干竿］
本考案の伸縮式物干竿は、外パイプ（１）、スリーブ（２）、内パイプ（３）、ストッパ（４）を有する。上記外パイプ（１）の内部に上記内パイプ（３）が挿入されており、上記外パイプ（１）と上記内パイプ（３）は互いに可動である。上記外パイプ（１）と上記内パイプ（３）は、上記スリーブ（２）を介して連結している。
【００１２】
図１に示すように、外パイプ（１）の内部に挿入された内パイプ（３）が、スリーブ（２）に対して外パイプ（１）と反対の向き（図１では右側に）繰り出されると、伸縮式物干竿が伸びる。外パイプ（１）から突出した内パイプ（３）が、スリーブ（２）に対して外パイプ（１）と同じ向きに（図１では右側に）移動して外パイプ（１）の内部に収納されると、伸縮式物干竿が縮む。後述のストッパ（４）は常に外パイプ（１）の内部にあって、外からは見えない。
【００１３】
外パイプ（１）と内パイプ（３）のそれぞれ長さと太さ、材質は、本考案の伸縮式物干竿の設置場所（屋外のような広い場所で使用するか、あるいは、室内用の小型竿であるか、など）や使用目的（どの程度の重量に耐える必要があるか）によって様々に変更可能であり、制限されない。
【００１４】
［スリーブ（２）］
スリーブ（２）は、上記外パイプ（１）の端部に付属し、外パイプ（１）と内パイプ（３）を連結して、互いに移動する外パイプ（１）と内パイプ（３）を保持する。さらにスリーブ（２）は、後述のストッパ（４）と組み合わされて、内パイプ（３）を、外パイプ（１）から最も繰り出された（物干竿が最長の）位置で停止させる。
【００１５】
スリーブ（２）は、図２と図３に示すように、筒部（２１）、閉塞末端部（２２）、折返し部（２３）を有する。言い換えれば、スリーブ（２）は全体的には、円筒の一つの端部が筒の外側に折れ曲がって折返し部（２３）を形成し、円筒の折れ曲がらなかった部分が筒部（２１）を形成するように見える。折返し部（２３）と筒部（２１）との間には間隙があって、折返し部（２３）と筒部（２１）と閉塞末端部（２２）で挟まれた空間が、筒部（２１）の一方の端部の外周面を覆っている。
【００１６】
好ましくは、図３に示すように、上記スリーブにおいて、上記外パイプ（１）の長手方向に沿う上記筒部（２１）の長さ（Ｌ１）は、上記外パイプ（１）の長手方向に沿う上記折返し部（２３）の長さ（Ｌ２）よりも長い。筒部（２１）の長さと折返し部（２３）のそれぞれの長手方向の長さの比は、外パイプ（１）と内パイプ（３）の長さ、太さ、重量などに応じて、外パイプ（１）と内パイプ（３）の連結部分を安定化し、内パイプ（３）の移動を停止するために適切な比に決定される。
【００１７】
末端閉塞部（２２）から折返し部（２３）と一部が向かい合うように延長する筒部（２１）は、典型的には、図２と図３に示すように、肉厚の第１筒部（２１０１）と肉薄の第２筒部（２１０２）を含む。第１筒部（２１０１）と第２筒部（２１０２）は筒部（２１）の長手方向に同軸上に連結している。第１筒部（２１０１）は閉塞末端部（２２）から延長して第２筒部（２１０２）に接続する。第２筒部（２１０２）の第１筒部（２１０１）と反対側の終了部が開放末端部（２１１）である。
【００１８】
第１筒部（２１０１）と第２筒部（２１０２）とは一体に成形され、図４と図５に示すように、第１筒部（２１０１）の内周面と第２筒部（２１０２）の内周面は一つの連続面を形成し、第１筒部（２１０１）と第２筒部（２１０２）の内側の境界部に段差は無い。図４において上側がスリーブ（２）の外側、下側がスリーブ（２）の内側にあたる。第１筒部（２１０１）と第２筒部（２１０２）の外側の境界部には段差（２４）があり、段差（２４）は第１筒部（２１０１）と第２筒部（２１０２）の厚み差に相当する。図４は、筒部（２）の内面を可視化するために筒部（２）の一部を切り欠いた状態を示している。実際に使用される伸縮式物干し竿では筒部（２）にはこのような切り欠け部は存在しない。
【００１９】
図６に示すように、外パイプ（１）の端部がスリーブ（２）の閉塞末端部（２２）に向かって貫入している。この状態で、筒部（２１，２１０１，２１０２）、閉塞末端部（２２）、折返し部（２３）が外パイプ（１）の末端を包囲し、第１筒部（２１０１）と折返し部（２３）が上記外パイプ（１）の内面に密着する。伸縮式物干竿が正常に静止・作動する状態では、第２筒部（２１０２）の外表面の少なくとも一部は外パイプ（１）の内面から離れている。
【００２０】
スリーブ（２）を比較的柔軟な（少なくともパイプ（１）よりも柔らかい）材料、例えば樹脂で形成した場合には、上記貫入の際に、閉塞末端部（２２）が蝶番のように働いて、閉塞末端部（２２）から離れた位置で折返し部（２３）と筒部（２１）との隙間が拡大し、外パイプ（１）の末端（１０１）が、スリーブ（２）に対して貫入最大深さの位置で停止して、外パイプ（１）とスリーブ（２）とが位置決めされ、密着する。
【００２１】
外パイプ（１）の端部、折返し部（２３）、筒部（２１）の間に隙間が生じないようにするためには、例えば、閉塞末端部（２２）の窪みを外パイプ（１）の末端（１０１）に比べて小さく設計する。この場合、外パイプ（１）の末端（１０１）が閉塞末端部（２２）に到達する前に、外パイプ（１）をスリーブ（２）に貫入させて最も抵抗が大きくなった地点で、外パイプ（１）とスリーブ（２）とを固定する。こうすることにより、外パイプ（１）の末端（１０１）の外面と内面の両方が、スリーブ（２）の折返し部（２３）と筒部（２１）のそれぞれに完全に密着し、外パイプ（１）とスリーブ（２）との安定性が高い。閉塞末端部（２２）の狭い形状を精密に設計するためにも、スリーブ（２）を樹脂、特に熱可塑性樹脂で形成することが望ましい。このような樹脂としては、ポリスチレン、ポリエチレン、ポリプロピレンを主体とする樹脂組成物が好ましい。また、スリーブ（２）の強度を向上させるために、上記樹脂組成物にフィラーを添加することができる。上記樹脂組成物を射出成形して得られた少なくとも１つのパーツでスリーブ（２）を構成することができる。
【００２２】
折返し部（２３）、閉塞末端部（２２）、筒部（２１）の１つ以上に、外パイプ（１）を係止する構造をさらに設けることもできる。このような係止構造としては、貫通孔、突起、溝などの形状が挙げられる。外パイプ（１）の端部には、これらの係止構造に対応する構造が設けられる。外パイプ（１）とスリーブ（２）は、例えば、凹凸部の噛み合わせ、溝の山谷の噛み合わせ、孔と突起のかみ合わせなどで、より強固に密着する。
【００２３】
スリーブ（２）には、外パイプ（１）の侵入を容易にするための、テーパー構造やガイド構造を設けることもできる。例えば、スリーブ（２）の筒部（２１）のうちで開放末端を含む少なくとも一部分をテーパー状にしても良い。また、スリーブ（２）の筒部（２１）の開放末端をほかの部分より小さい口径を有する筒状としても良い。
【００２４】
［ストッパ（４）］
内パイプ（３）の端部には、ストッパ（４）が付属する。図７に示すように、ストッパ（４）は、本考案の伸縮式物干竿の内部にある。ストッパ（４）の外面は、内パイプ（３）の外周よりも突出している。図７に示すように、外パイプ（１）の内径に尺渡るストッパ（４）を設けた場合には、外パイプ（１）に対して内パイプ（３）が移動する際に、ストッパ（４）の外面と上記外パイプ（１）の内面とが摺動する。
【００２５】
ストッパ（４）の形状は、図７，図８に例示されるような、パイプ（１，３）の長手方向にも周方向にも対称な形状に限られない。ストッパ（４）を複数の部材が一体または連結した構造とすることもできる。ストッパ（４）の外面と外パイプ（１）の内面に上述の係止構造を形成して、ストッパ（４）と外パイプ（１）とを段階的に摺動させてもよい。例えば、ストッパ（４）の外面と外パイプ（１）の内面とが、比較的柔軟な材料からなる、凹凸部の噛み合わせ、溝の山谷の噛み合わせ、孔と突起のかみ合わせなどで接するようにすれば、使用者が勢い余って内パイプ（３）を出しすぎる、入れすぎることがなく、パイプ（１，３）の長さの微調整が容易となる。
【００２６】
［物干竿の伸縮］
図７に示すように、ストッパ（４）がスリーブ（２）に近づくように（図７では右向きに）、内パイプ（３）が外パイプ（１）に対して移動すると、本考案の伸縮式物干竿が伸びる。逆に、ストッパ（４）がスリーブ（２）から遠ざかるように（図７では左向きに）、内パイプ（３）が外パイプ（１）に対して移動すると、本考案の伸縮式物干竿が縮む。
【００２７】
図７に示すように、内パイプ（３）は筒部（２１）の内面に貫通する。外パイプ（１）と内パイプ（３）は、スリーブ（２）を介して連結する。内パイプ（３）が筒部（２１）の内部空間を長手方向に行き来することによって、外パイプ（１）と内パイプ（３）の重なり部分の長さが変化し、その結果、物干竿全体が伸縮する。
【００２８】
肉薄の第２筒部（２１０２）は、通常の伸縮動作ではパイプ（１）に接しない。また肉薄の第２筒部（２１０２）はこれより肉厚の第１筒部（２１０１）よりも柔軟性を有する。ゆえに、内パイプ（３）の押出や引込の方向が使用者の姿勢や位置に伴って変化した場合に、筒部（２１）の開放末端（２１１）付近は外パイプ（１）の内壁に対して僅かに接近あるいは離間して適度な「しなり」や「遊び」が発生する。この「しなり」や「遊び」によって、内パイプ（３）が外パイプ（１）の内部で予測外の停止（いわゆる「突っかかり」）をすることなく、あるいは、内パイプ（３）が外パイプ（１）の内部で意図を超えて移動（滑り、抜け）しないように、滑らかに移動することができる。よって、使用者は簡単に本考案の物干竿を操作することができる。
【００２９】
ストッパ（４）がスリーブ（２）にさらに近づいて、上記ストッパ（４）が、上記スリーブ（２）における筒部（２１）の開放末端部（２１１）に接触すると、内パイプ（３）の移動は停止する。図８に、ストッパ（４）がスリーブ（２）の開放末端部（２１１）に接触した状態を示す。この状態は、外パイプ（１）と内パイプ（３）との重なり部分が最短であって、物干竿が最も伸びた状態である。
【００３０】
本考案の伸縮式物干竿が伸縮する過程で、外パイプ（１）と内パイプ（３）とは直接密着し摺動することはなく、ストッパ（４）とスリーブ（２）を介して、互いに移動する。本考案の伸縮式物干竿が最も伸びた状態では、スリーブ（２）とストッパ（４）とが一体となって、外パイプ（１）と内パイプ（３）との連結部分を保持する。そのほかの状態では、スリーブ（２）とストッパ（４）とが互いに離れた位置にあって、スリーブ（２）は内パイプ（３）と摺動し、ストッパ（４）は外パイプ（１）と摺動するか外パイプ（１）の内面に接近した状態で移動して、外パイプ（１）と内パイプ（３）の位置関係を制御する。
【００３１】
［その他の付属部材］
本考案の伸縮式物干竿は、上記スリーブ（２）やストッパ（４）に関連する追加の構造を有していても良い。上記追加の構造は典型的には、外パイプ（１）および／または内パイプ（３）の懸架、外パイプ（１）に対する内パイプ（３）の位置決め、外パイプ（１）および／または内パイプ（３）における洗濯物の配置と位置決めなどを可能とする構造である。
【００３２】
外パイプ（１）および／または内パイプ（３）の懸架を可能とする構造として、例えば、外パイプおよび／または内パイプに紐通し（６）を設ける。使用者は、紐通しの孔に通した紐やフックによって、本考案の伸縮物干竿全体を物干し台などに固定することができる。このような紐通しによって、本考案の伸縮物干竿の固定や移動が簡単となる。
【００３３】
図９に、上記紐通し（６）を取り付けた様子を模式的に示す。外パイプ（１）の両端にスリーブ（２０１，２０２）が密着し（外からは折返し部が見える）、それぞれのスリーブ（２０１，２０２）を介して内パイプ（３１，３２）を出し入れする。外パイプ（１）の一部は省略されている。内パイプ（３１，３２）の両端には２つの紐通し（６１，６２）が付属する。紐通し（６１，６２）には孔（５１，５２）が空いている。２つの孔（５１，５２）に紐を通して物干竿全体を懸架することができる。
【００３４】
図１０に、紐通し（６１）とその周辺を拡大した様子を示す。紐通し（６１）には孔（５１）が空いている。紐通し（６１）は、スリーブ（２０１）側にあって内パイプ（３１）先端の外表面を囲む筒状の部分（スリーブ側６１１）と、内パイプ（３１）の先端から突出する部分（先端部６１２）とからなる。
【００３５】
図１０では省略されているが、紐通し（６２）も、紐通し（６１）と同様にスリーブ側（６１２），孔（５２），先端部（６２２）を有する。
【００３６】
紐通し（６１，６２）のスリーブ側（６１１，６２１）を外パイプ（１）に対する内パイプ（３）の位置決めに用いることもできる。内パイプ（３１，３２）および／またはスリーブ（２０１，２０２）に締め付け機構を接続し（外から見えない締め付けリングや係止機構など。図示しない。）、この締め付け機構を稼働する場合に図１０に示すようにスリーブ側（６１１，６２１）をグリップに使って内パイプ（３１，３２）をスリーブ（２０１，２０２）内で回転させると、内パイプ（３）がスリーブ（２）を介して外パイプ（１）内で固定する（ロックする）ことができる。この場合、スリーブ側（６１１）はロック機構として機能する。図１０では、ロックする際のスリーブ側（６１１）の回転方向を、左側の矢印、すなわち、先端部（６１２），内パイプ（３１），スリーブ（２０１），外パイプ（１）がこの順で手前から前方に延長するように先端部（６１２）に向き合う使用者にとっては時計回りの向きである。（なお、使用者の位置や視線によって回転の向きは様々に表現できるので、上記「時計回り」は絶対的な表現ではない。）スリーブ側（６１１）を逆の方向、すなわち図１０の右側の矢印の向き（上記使用者にとっては反時計回りの向き）に回転させると、上記ロックが解除される。その結果、内パイプ（３１）を外パイプ（１）に対して再び出し入れできるようになる。使用者は、上記ロックとその解除を好みの位置で実行することができ、上記ロックとその解除を繰り返すこともできる。このようなロック機構によって、使用者は物干竿の伸縮を好みの状態に調節することができる。
【００３７】
外パイプ（１）および／または内パイプ（３）における洗濯物の配置と位置決めを可能とする構造として、例えば、外パイプ（１）の外表面に長手方向に沿って波型線材からなるハンガー掛けを付属させる。このようなハンガー掛けがあると、風でハンガーがパイプの片方に集まることがなく、洗濯物の通気が保たれ、洗濯物の乾きを早くすることができる。図１１に、上記ハンガー掛けを取り付けた様子を模式的に示す。
【００３８】
［効果］
本考案の伸縮式物干竿の伸縮は、従来品のような、複雑あるいは多くの部品からなり、しばしば竿の内部に隠れて見えないことがある、ネジ式やばね式が用いられていない。また、本考案の伸縮式物干竿の伸縮の程度は、スリーブ（２）から繰り出される内パイプ（３）の位置と動きで、誰にでも簡単に調節できる。このような本発明の伸縮式物干竿は、低コストで、取り扱い性に優れ、故障が少ない点で、従来品よりも優れる。
【産業上の利用可能性】
【００３９】
本考案の伸縮式物干竿は、簡易な構造で、取り扱い性に優れるため、従来製品を代替することができる。典型的な本考案の伸縮式物干竿は、肉厚の第１筒部と肉薄の第２筒部を有するスリーブとを備えるため、パイプを滑らかな動きで伸縮することができ、伸縮長さの微調整が容易である。本考案の伸縮式物干竿に紐通し孔や、波型ハンガーなどの付属部材を設けた場合には、固定や洗濯物の乾燥がより容易な物干竿として利用価値が高い。本考案の伸縮式物干竿に、上述の回転式にパイプの伸縮をロックおよびロック解除の機構を設けた場合には、使用者が物干竿の伸縮状態を好きな状態で固定することができる。
【符号の説明】
【００４０】
１  外パイプ
１０１  外パイプの末端
２  スリーブ
２０１  スリーブ
２０２  スリーブ
２１  筒部
２１０１  第１筒部
２０１２  第２筒部
２１１  開放末端部
２２  閉塞末端部
２３  折返し部
２４  段差
３  内パイプ
３１  内パイプ
３２  内パイプ
４  ストッパ
５１  孔
５２  孔
６  紐通し
６１  紐通し
６２  紐通し
６１１  紐通しのスリーブ側
６１２  紐通しの先端部
７  ハンガー掛け
【図１】
0003230941.tif 000003
【図２】
0003230941.tif 000004
【図３】
0003230941.tif 000005
【図４】
0003230941.tif 000006
【図５】
0003230941.tif 000007
【図６】
0003230941.tif 000008
【図７】
0003230941.tif 000009
【図８】
0003230941.tif 000010
【図９】
0003230941.tif 000011
【図１０】
0003230941.tif 000012
【図１１】
0003230941.tif 000013
【手続補正書】
【提出日】令和2年12月22日(2020.12.22)
【手続補正１】
【補正対象書類名】実用新案登録請求の範囲
【補正対象項目名】請求項６
【補正方法】変更
【補正の内容】
【請求項６】
第１筒部（２１０１）と第２筒部（２１０２）とを有する筒部（２１）、閉塞末端部（２２）、折返し部（２３）を備える、伸縮式物干竿のためのスリーブ（２）であって、
上記伸縮式物干竿が、外パイプ（１）、スリーブ（２）、内パイプ（３）、ストッパ（４）を有する伸縮式物干竿であって、
上記外パイプ（１）の内部に上記内パイプ（３）が挿入されており、上記外パイプ（１）と上記内パイプ（３）は互いに可動であって、
上記外パイプ（１）と上記内パイプ（３）は、上記スリーブ（２）を介して連結し、
上記外パイプ（１）の端部に上記スリーブ（２）が付属し、
上記スリーブ（２）は、筒部（２１）、閉塞末端部（２２）、折返し部（２３）を有し、上記筒部（２１）、上記閉塞末端部（２２）、上記折返し部（２３）が上記外パイプ（１）の末端（１０１）を包囲し、上記スリーブのうち少なくとも上記筒部（２１）と上記折返し部（２３）が上記外パイプ（１）に密着し、
上記外パイプ（１）に対して上記内パイプ（３）が移動する際に、上記スリーブ（２）における上記筒部（２１）の内面と上記内パイプ（３）の外面とが摺動し、
上記内パイプ（３）の端部に上記ストッパ（４）が付属し、
上記外パイプ（１）に対して上記内パイプ（３）が移動する際に、上記ストッパ（４）の外面と上記外パイプ（１）の内面とが摺動し、
上記伸縮式物干竿が最も伸びた状態で、上記ストッパ（４）が、上記スリーブ（２）における上記筒部（２１）の開放末端部（２１１）に接触する、
スリーブ（２）。